(57)【要約】本発明は、デブリス・インヒビタおよびインヒビタ・システム、ならびにそれ作製する方法を提供する。本発明のインヒビタおよびインヒビタ・システムは、競技用または屋外用の靴に装着され、競技用または屋外用の靴の中へのデブリスの進入を防止する。デブリス・インヒビタの側長に沿って、直線切断部が、管状織成材料の外周未満の所望の深さにあるように、材料の長さに垂直に作製される。これらの直線切断部は、デブリス・インヒビタの製造および機能性に関して、予想外の特性を提供する。直線切断部は、所望の深さにあり、競技用靴からの滑止具のための開口部または通路を提供する。
2013524894.tif 000002
【特許請求の範囲】
【請求項１】
管状織成材料から靴被覆式デブリス・インヒビタを製造する方法であって、
該方法は、
ａ．所望の長さの管状織成材料を切断して、それにより第１の未処理切断部および第２の未処理切断部を形成することであって、各未処理切断部は、該長さの管状織成材料の対向端にあり、該材料は、伸長するように適合された生地である、ことと、
ｂ．第２の帯状部の近位に第１の直線切断部を作製することであって、該第１の直線切断部は、該管状織成材料の外周未満の深さにあり、該直線切断部は、靴上の滑止具の通過およびそれへの順応のために適合される、ことと、
ｃ．該第１の直線切断部の近位に第２の直線切断部を作製することであって、該第２の直線切断部は、該管状織成材料の外周未満の深さにあり、該第２の直線切断部は、該靴の踵および該靴の踵上に位置する滑止具の通過、およびそれへの順応に適合され、該第２の直線切断部は、該デブリス・インヒビタが、該靴の背面部分の上方で伸長することを防止するように適合される、ことと
を含み、
該製造方法は、使用の際に、該靴の外側領域を被覆し、デブリスが該靴の開口部に進入することを抑制するように適合される靴被覆式デブリス・インヒビタを生産する、方法。
【請求項２】
管状織成材料から靴被覆式デブリス・インヒビタを製造する方法であって、
該方法は、
ａ．所望の長さの管状織成材料を切断して、それによって第１の未処理切断部および第２の未処理切断部を形成することであって、各未処理切断部は、該長さの管状織成材料の対向端にあり、該材料は、伸長するように適応された生地である、ことと、
ｂ．該第２の未処理切断部に鐙を形成することであって、該形成することは、
ｉ）該第２の未処理切断部の近位において第１の成形切断部を開始し、および該第１の成形切断部が、該第２の未処理切断部を通過するまで、該第１の成形切断部を該第２の未処理切断部に向かって角度付けることによって、第１の成形切断部を切断することと、
ｉｉ）該第１の成形切断部と反対側の該第２の未処理切断部の近位において、第２の成形切断部を開始し、および該第２の成形切断部が、該第２の未処理切断部を通過するまで、該第２の成形切断部を該第２の未処理切断部に向かって角度付けることによって、第２の成形切断部を切断することと
による、ことと
を含み、
ステップｉ）およびｉｉ）は、完成した鐙を形成するために、次にともに縫合される鐙のための２つの側面を形成し、
該製造方法は、使用の際に、該靴の外側領域を被覆し、デブリスが該靴の開口部に進入することを抑制するように適合される靴被覆式デブリス・インヒビタを生産する、方法。
【請求項３】
靴被覆式デブリス・インヒビタ・システムであって、
該システムは、
ａ．請求項１に記載の前記方法から作製された靴被覆式デブリス・インヒビタと、
ｂ．靴下であって、ａ）の該靴被覆式デブリス・インヒビタの内面に取着される靴下と、
を含む、システム。
【請求項４】
請求項３に記載の前記靴被覆式デブリス・インヒビタ・システムを作製するための方法であって、
該方法は、
ａ．請求項３におけるステップａ）の前記靴被覆式デブリス・インヒビタを形成するステップと、
ｂ．靴下を該靴被覆式デブリス・インヒビタの内面に取着するステップであって、該靴下は、該靴下が足の上に装着され、該靴の中に挿入されること、および該靴被覆式デブリス・インヒビタが該靴の上に引き下げられることを可能にする場所に取着される、ステップと
を含む、方法。
【発明の詳細な説明】
【技術分野】
【０００１】
（関連出願の相互参照）
本願は、米国仮特許出願第６１／３２５，０８６号（２０１０年４月１６日出願）の優先権を主張し、この出願の全開示は、その全体が本明細書に参照することによって援用される。
【０００２】
（発明の分野）
本発明は、競技用および屋外用の靴を含む靴のためのデブリス・インヒビタ（ｄｅｂｒｉｓ  ｉｎｈｉｂｉｔｏｒ）を製造する方法に関する。
【背景技術】
【０００３】
サッカー、ラクロス、ソフトボール、野球、および陸上ホッケー選手等の競技者は、ほとんどの場合、屋外環境において見られる大規模競技場で競技を行う。従来、これらの競技場は、天然芝生面から成る。過去数十年、従来の芝生の競技用面に代わって、人工面が実装されてきた。人工芝面は、下肢、例えば、脚、膝、足首、および爪先への傷害に関して、多くの懸念を呈している。これらの人工面は、選手の身体と天然面に見られるような地面との間の接触に対応していない。
【０００４】
人工芝の競技用面の進歩が、これらの問題のうちのいくつかを解決するためになされてきた。例えば、いくつかの人工競技場は、現在、「クラムラバー」および競技場に拡散される他の種類の充填材を採用し、審美的および機能的の両方において、天然面を模倣している。これらの充填材は、選手の靴に進入する傾向があり、擦り傷を作ることとともに、感染症の付随するリスクも有し得る。
【０００５】
試合および練習中に、選手は、これらの充填材をその靴の中に進入させ得る。靴の中に入ると、これらの充填材は、まめ、皮膚の擦過、および足の爪への損傷等、足ならびに爪先に傷害をもたらし得る。これらの種類の皮膚および爪の破損は、命を脅かす微生物による感染症の可能性に選手を曝し得る。さらに、これらの充填材は、人工芝による爪先の傷害の悪化、骨挫傷、および競技中の不安定性等、選手に構造的傷害を生じさせ得る。
【発明の概要】
【発明が解決しようとする課題】
【０００６】
これらの競技場の充填材および他の物体が選手の靴に進入することを効果的に防止することができる製品が必要とされる。理想的には、これらの製品は、競技面からのデブリスを靴の中に通過させ得る靴の進入部位を被覆するような保護様式で靴を被覆するであろう。発明者らは、競技場のデブリスが、靴に進入し、身体的傷害および不必要な潜在的な微生物感染への暴露等、選手を健康上の危険に曝すことを防止するそのような製品を開発した。
【課題を解決するための手段】
【０００７】
本発明は、管状織成材料から、靴被覆式デブリス・インヒビタを製造するための方法を提供する。管状織成材料は、最初に、所望の長さのデブリス・インヒビタを提供するために十分な長さに切断される。
【０００８】
一実施形態では、初期未処理切断部は、デブリス・インヒビタの各端に縁線を形成するために十分な材料を提供する。縁線は、デブリス・インヒビタのための開口部としての役割を果たす、各端に帯状部を形成するように、材料を折り畳むことおよび縫合することによって形成される。
【０００９】
デブリス・インヒビタの側長に沿って、直線切断部が、管状織成材料の外周未満の所望の深さにあるように、材料の長さに垂直に作製される。これらの直線切断部は、デブリス・インヒビタの製造および機能性に関して、予想外の特性を提供する。直線切断部は、所望の深さにあり、競技用靴からの滑止具のための開口部または通路を提供する。
【００１０】
直線切断部は、競技用靴、例えば、滑止具付き競技用靴に対するデブリス・インヒビタの順応を提供する。直線切断部はまた、デブリスが競技用靴に進入することを防止する補助をするための靴の踵および滑止具に対して通路および順応を提供する。
【００１１】
本発明の別の実施形態では、鐙（ｓｔｉｒｒｕｐ）設計を有するデブリス・インヒビタをもたらす管状織成材料から靴被覆式デブリス・インヒビタを製造するための方法が提供される。
【００１２】
本方法は、一部には、管状織成材料の２つの未処理切断部を所望の長さに作製するステップを備える。所望の幅または厚さの帯状部は、第１の未処理切断部材料を折り畳み、縁線を縫合することによって、第１の未処理切断部の場所に形成される。また、鐙は、２つの成形切断部を作製することによって、第２の未処理切断部の方向に形成される。２つの成形切断部は、鐙の２つの側が形成されるように作製され、鐙に対する２つの側は、鐙を完成するように、両端でともに縫合される。２つの成形切断部の角度は、競技用靴に順応を提供し、デブリス・インヒビタの安定性および防止側面を補助する予想外の特性を提供する。
【００１３】
本発明の別の実施形態では、靴下／インヒビタの組み合わせを備え、所望の材料の靴下が、インヒビタの内側に取着される、防止システムが、提供される。
【図面の簡単な説明】
【００１４】
【図１】図１は、本発明のデブリス・インヒビタを示す。
【図２】図２は、本発明の拡張されたデブリス・インヒビタの角度が付けられた底面から上面の図を示す。
【図３】図３は、本発明の拡張されたデブリス・インヒビタの上面から底面の図を示す。
【図４】図４は、滑止具付き競技用靴と併用される際の本発明のデブリス・インヒビタの側面図を示す。
【図５】図５は、滑止具付き競技用靴と併用する際の本発明のデブリス・インヒビタの角度が付けられた底面から上面の図を示す。
【図６】図６は、本発明のデブリス・インヒビタを示す。
【図７】図７は、本発明のデブリス・インヒビタの側面図である。
【図８】図８は、本発明の拡張されたデブリス・インヒビタの正面図である。
【図９】図９は、本発明の拡張されたデブリス・インヒビタの底面図である。
【図１０】図１０は、競技用靴と併用する際の本発明のデブリス・インヒビタの角度が付けられた正面図である。
【図１１】図１１は、競技用靴と併用する際の本発明のデブリス・インヒビタの角度が付けられた底面から上面の図である。
【図１２】図１２は、競技用靴と併用する際の本発明のデブリス・インヒビタの角度が付けられた背面から正面の図である。
【図１３】図１３は、競技用靴と併用する際の本発明のデブリス・インヒビタの側面図である。
【図１４】図１４は、本発明の一実施形態のための切断パターンを例示する。
【図１５】図１５は、靴下構成要素を伴う、本発明の防止システムの側面図である。
【図１６】図１６は、靴下構成要素を伴う、本発明の防止システムの角度が付けられた底面図である。
【発明を実施するための形態】
【００１５】
本発明で使用される材料は、複数方向に伸長可能な任意の材料であることができる。材料は、機織を介して、継目のない管に加工可能であるべきである。機織材料管は、切断に先立って形成される。
【００１６】
好ましい実施形態では、材料は、プライナイロンおよび伸長素材の組み合わせから形成される。実施例として、プライナイロンは、２プライまたは３プライナイロンであることができる。さらに、プライナイロンおよび伸長素材は、本発明に必要な所望の複数方向伸長をもたらす比率であるべきである。プライナイロン対伸長素材の比率は、それぞれ、約５０％対約５０％、約６０％対約４０％、約７０％対約３０％、約８０％対約２０％、約９０％対約１０％、約９５％対約５％、および約９７％対約３％の範囲内である。
【００１７】
本発明の複数方向伸長を可能にする他の材料も包含されることは、当業者によって理解されるであろう。限定ではないが、これらの材料は、例えば、ポリエステルおよびエラステイン等のそのような他の材料を包含する。また、本発明の範囲内の材料はまた、例えば、抗菌性および吸汗特性を含んでもよいことが、当業者によって理解されるであろう。
【００１８】
（滑止具付きの靴と併用するためのインヒビタ）
インヒビタ１００は、図１に見られるように、本明細書に説明されるような材料の織成管である。インヒビタ１００は、滑止具付き競技用靴に対応するように構築され、インヒビタ１００は、使用の際に、デブリスが靴に進入することを防止するための靴被覆式製品である。インヒビタ１００の外周は、競技用靴のサイズおよび種類に応じて可変であり得る。
【００１９】
滑止具付きの競技用靴は、足首開口部１６０を通して挿入される。爪先開口部１１０は、競技用靴の爪先部分がインヒビタを通過することを可能にする。底面部分１１８および底面部分１３０は、競技用靴上の滑止具の空間を収容するように適合され、底面部分１１８および１３０は、使用の際には、滑止具の目的を妨害することなく、滑止具間に嵌合する。切断部１２０と切断部１４０とは、インヒビタを通して滑止具を突出させるような比率にされる。部分１７０は、滑止具付き競技用靴の上部を被覆する。部分１５０は、滑止具付き競技用靴の背面踵の下側領域から足首開口部１６０へと上方を被覆する。足首開口部１６０は、滑止具付き競技用靴の上部の直上における装着者の脚の周囲の領域に固着またはぴったりと嵌合されるように嵌着されることが意図される。
【００２０】
爪先帯状部１１６と足首帯状部１６６とは、完成した製品の対向端を示す。縁線１１４および縁線１６４は、管材料の最遠位の爪先切断部および最遠位足首切断部を切断、折畳み、および縫合した結果である。管材料が、爪先部分において切断されると、切断部端は、インヒビタ１００の内側に折り返される。インヒビタ１００の内側へと折り返されると、縁線１１４が、インヒビタ１００の内側に折り返された部分を縫合することによって生成される。縁線１１４が縫合されると、爪先帯状部１１６が形成される。爪先帯状部１１６は、折畳み内に付加的材料、例えば、爪先帯状部１１６に対する付加的安定性を形成する伸長素材を備えてもよい。爪先帯状部１１６の幅および縁線１１４の設置は、競技用靴の種類およびサイズに基づいて可変であってもよく、また、競技用靴上の滑止具の設置に基づいて可変であってもよい。
【００２１】
管材料が、足首開口部１６０において切断されると、切断部端は、インヒビタ１００の内側へと折り返される。インヒビタ１００の内側へと折り畳まれると、縁線１６４が、インヒビタ１００の内側に部分的に折り畳まれた箇所を縫合することによって生成される。縁線１６４が縫合されると、足首帯状部１６６が形成される。足首帯状部１６６は、折畳み部内に、付加的材料、例えば、足首帯状部１６６に対して付加的安定性を形成する伸長素材を備えてもよい。
【００２２】
爪先端１１２および足首端１６２は、爪先帯状部１１４および足首帯状部１６４が、縁線１１４および縁線１６４を縫合することによって形成された後に、完成した製品の端部としての役割を果たす。
【００２３】
管材料を切断して、所望の長さのインヒビタ１００を形成するプロセスは、管材料に沿った重要場所に複数の切断部を必要とする。最初に、管材料が切断されて、爪先端および足首端において管材料の全周にわたって未処理切断部を形成する。各端における未処理切断部は、続いて、インヒビタ１００の内側部分の中に折り畳まれ、縁線１１４および１６４を形成するように縁が縫着される。未処理切断部の縁が縫着されると、爪先帯状部１１６および足首帯状部１６６が形成され、インヒビタ１００の内側に折り畳まれ、内側部分に縁が縫着されたために、管材料の二重層を備える。爪先帯状部１１６および足首帯状部１６６のサイズは、所望されるインヒビタ１００のサイズに部分的に依存する。
【００２４】
インヒビタ１００の内側面の中に折り畳まれて、足首帯状部１６６を形成する未処理切断部は、足首開口部１６０と縁線１６４との間の距離に関して、可変であり得る。再び、基準点までのこれらの間のこの距離は、インヒビタ１００全体のサイズに依存するであろう。代替として、この距離は、競技用滑止具の種類、例えば、高さが低い、中程度、および高い滑止具付きの靴に依存し得る。
【００２５】
爪先における未処理切断部は、インヒビタ１００の内側領域の中に折り返されて爪先帯状部１１６を形成する。爪先帯状部１１６は、爪先端１１２から縁線１１４までの任意の所望の長さであることができる。しかしながら、長さは、爪先端１１２と切断部１２０との間に縁が縫着されるべきである。爪先帯状部１１６の長さは、約１／４インチから約１インチまでの範囲内であるべきである。一実施形態では、縁線１１４が生成されると、爪先帯状部１１６が、未処理切断部をインヒビタ１００の内側領域の中に折り畳むことによって形成され、縁を縫着して約３／８インチの長さの爪先帯状部１１６を形成する。したがって、爪先帯状部１１６は、本明細書に説明されるように、折畳みおよび縁の縫着のプロセスによって、管材料の２つの層を備えるであろう。縁線１１４と切断部１２０との間の距離は、約１／８インチから約３／４インチまでの範囲内であることができる。一実施形態では、縁線１１４と切断部１２０との間の距離は、約１／２インチである。
【００２６】
切断部１２０は、インヒビタ１００を形成する管材料内の底面部分１１８、底面部分１３０、および部分１５０に垂直である直線切断部である。切断部１２０の深さは、滑止具付き靴の種類に応じて、可変であろう。切断部１２０の深さは、約３／４インチから約１と１／４インチまでの範囲内であることができる。一実施形態では、切断部１２０は、約１インチの深さに作製される。
【００２７】
切断部１４０は、インヒビタ１００を形成する管材料内の底面部分１１８、底面部分１３０、および部分１５０に垂直である直線切断部である。切断部１４０の深さは、滑止具付き靴の種類に応じて可変であろう。切断部１４０の深さは、約３／４インチから約１と１／４インチまでの範囲内であることができる。一実施形態では、切断部１４０は、約１インチの深さに作製される。
【００２８】
切断部１２０および切断部１４０は、本明細書において説明されるような直線切断部である。直線切断部は必要であり、すなわち、直線切断部以外の切断部が作製されるときに、管材料は、波状および起伏を呈するからである。直線切断部を伴わないと、インヒビタ１００は、管材料の断裂または摩耗を抑制するために、切断部に沿った縫合によって材料が収縮されるときに、製造上の困難点を呈する。切断部１２０および切断部１４０を作製するために、いくつかのアプローチが試みられた。しかしながら、直線でない切断部は、波状および起伏の外観をもたらし、それは、各切断部によって生成された開口部が競技用靴の滑止具パターンに適合することを可能にしなかった。切断部１２０および切断部１４０はまた、インヒビタ１００内の直線切断部が、特に、切断部１４０に関して、デブリスが滑止具付き靴に進入することを防止することに非効果的であろう場合に、靴の上部を越える領域までのインヒビタ１００の伸長または引き上げを抑制するので必要である。加えて、切断部１２０および切断部１４０は、代替のより複雑かつコストのかかる切断部パターンではなく、直線切断部によって、製造コストを削減する。
【００２９】
材料が、管形態に織成されると、管は、任意の所望の長さに切断することができる。例えば、管状材料は、小、中、大、および特大サイズ用に切断することができる。サイズに関連する切断部長さは、例えば、競技における異なる年齢群および性別に対して、衣料を寸法設定するために、業界において使用される任意の式に基づくことができる。一例に過ぎず、限定として意図されないが、平均サイズのための小、中、大、および特大サイズ用のインヒビタ１００の長さは、８インチ、１０インチ、１２インチ、および１４インチであることができる。
【００３０】
本発明において規定されるように、インヒビタ１００を形成するために必要な切断部は、一部には、靴の種類、競技者の年齢および性別、ならびに製造の際に採用される材料に基づいて可変となるであろう。一例に過ぎず、本発明の限定として意図されないが、以下のパターンは、インヒビタ１００の製造における指針として提供される。全測定は、インヒビタ１００の爪先部分における未処理切断部または爪先端１１２のいずれかに基づく。
【００３１】
インヒビタ１００の爪先における未処理切断部は、本明細書において説明されるように作製される。爪先帯状部１１６は、本明細書において説明されるように形成され、特徴付けられる。切断部１２０は、本明細書に説明されるように、形成され、特徴付けられる。インヒビタ１００の実施例は、表１に提供されており、爪先帯状部１１６、足首帯状部１６６、および切断部１２０は、前述の通りである。表１では、切断部１４０は、本明細書に説明されるように形成され、特徴付けられ、また、本発明を通して利用可能なサイズのいくつかに関するように、以下のパターン（表１）を有してもよい。
【００３２】
【表１】
2013524894.tif 000003
切断部１２０および切断部１４０は、底面部分１１８、底面部分１３０、および部分１５０に垂直である直線切断部によって作製される。直線切断部が、前述のように、所望の深さに作製されると、管材料は、切断部のエッジに沿って縫合され、直線切断部のエッジに沿って管材料を安定化させる。前述のように、切断部１２０および切断部１４０の直線切断部パターンは、管材料が、波状および起伏を呈することを抑制する予想外の能力を提供する。
【００３３】
図２−３は、本発明の一実施形態を例示するために、拡張された形態のインヒビタ１００を示す。競技用靴が示されていないが、図２−３は、インヒビタ１００が、競技用靴にどのように適合するかの一側面を示す。図４−５は、滑止具付きの競技用靴上において使用する際のインヒビタ１００を例示する。
【００３４】
図４は、切断部１２０および１４０を通過する滑止具を示す、使用時の側面図を提供する。図２は、インヒビタ１００内の切断部１２０および１４０が、どのように拡張し、競技用靴の底面部分に対応するかを例示する。この対応する拡張は、図５にさらに例示されており、切断部１２０および１４０は、競技用靴上の滑止具の配置に適合するように拡張する。
【００３５】
（鐙を有するインヒビタ）
本発明の別の実施形態は、図６に見出される。図６のインヒビタ２００は、使用の際に、デブリスが靴に進入することを防止するための靴被覆式の製品である。インヒビタ２００は、前述のように、材料の織成管である。靴は、足首開口部２１０を通して挿入される。爪先開口部２４４は、靴の爪先部分がインヒビタ２００を通過することを可能にする。踵開口部２４６は、靴の踵部分がインヒビタ２００を通過することを可能にする。鐙２４０は、インヒビタ２００を靴の外側の側面および底面の周りに固着させる。
【００３６】
足首帯状部２１２は、一端において、管材料上に未処理切断部を作製することによって形成される。未処理切断部は、インヒビタ２００の内側表面の中に折り返され、内側表面に縁が縫着され、それによって、縁線２１４を形成する。足首開口部２１０から縁線２１４までの距離は、特定の靴の種類およびサイズに対応するために所望される任意の距離であることができる。ある実施形態では、足首帯状部２１２は、約１／２インチから約３／４インチまでの厚さを有することができる。しかしながら、この側面は、所望に応じて、調節することができる。足首帯状部２１２は、付加的安定性を足首帯状部２１２に提供する付加的材料（例えば、伸長素材）を備えることができる。そのような材料は、足首帯状部２１２を形成するために、折畳みおよび縫合によって生成される空間内にあるであろう。足首帯状部２１２は、靴使用の際に、靴の上部の直上の装着者の脚へのしっかりした取着を提供するように設計される。
【００３７】
背面部分２２０は、使用の際に、デブリスが、靴の背面に進入することを防止し、使用中に、靴の背面と、靴の上部の上方の下脚の背面を被覆する。正面部分２３０は、使用中に、デブリスが、靴の背面に進入することを防止し、使用中に、靴の正面と、靴の上部の上方の下脚の正面を被覆する。
【００３８】
切断部２２２は、靴の踵がインヒビタ２００を通って通過することを可能にするように、鐙２４０に向かって所望の深さおよび角度で作製される。切断部２２２は、背面部分２２０から鐙２４０に向かって、約２インチから約２と１／２インチまでの深さに作製することができる。一実施形態では、切断部２２２の深さは、管材料の背面において、約２と１／４インチである。切断部２２２の角度は、背面部分２２０に対する垂線から約１５°から約４０°までの範囲内にある。切断部２２２ならびにその深さおよび角度は、インヒビタ２００を通して踵開口部２４６から外への靴の踵の通過に対応するようなものであるべきであることは、当業者によって理解されるであろう。
【００３９】
図１４に見られるように、切断部パターンが、本発明の一実施形態に対して例示される。切断部２２２は、２つの切断部によって形成される。切断部２２４は、本明細書に説明される角度に基づいて作製される。また、切断部２２４は、約１と１／４インチから約１と３／４インチまでの範囲内で作製される。切断部２２６は、約１インチから約１と１／２インチまでの範囲内で作製される。一実施形態では、切断部２２４は、約１と１／２インチで作製され、切断部２２６は、約１と１／４インチで作製され、鐙２４０の踵開口部２４６を形成する。一実施形態では、踵開口部２４６は、切断部高さ２２７を有する。切断部高さ２２７は、約１と１／２インチから２インチまでの範囲内である。より具体的には、２インチの切断部高さである。踵開口部２４６の深さは、切断部深さ２２８によって表される。一実施形態では、切断部深さ２２８は、約１と１／２インチから約１と５／８インチまでで作製される。より具体的には、１と５／８インチの切断部深さである。
【００４０】
切断部２３２は、インヒビタ２００を通して、靴の爪が通過することを可能にするために、鐙２４０に向かって所望の深さおよび角度で作製される。切断部２３２は、正面部分２３０から鐙２４０に向かって、約１と３／４インチから約２と１／４インチまでの深さで作製することができる。一実施形態では、切断部２３２の深さは、管材料の正面において約２インチである。切断部２３２の角度は、正面部分２３０に対する垂線から約２５°から約６０°までの範囲内にある。切断部２３２ならびにその深さおよび角度は、インヒビタ２００を通して爪先開口部２４４から外に、靴の爪先の通過をさせるようなものであるべきであることは、当業者によって理解されるであろう。
【００４１】
図１４に見られるように、切断部パターンが、本発明の一実施形態のために例示される。切断部２３２は、２つの切断部によって形成される。切断部２３４は、本明細書に説明される角度に基づいて作製される。また、切断部２３４は、約３／４インチから約１インチの範囲内で作製される。切断部２３６は、約１インチから約１と１／４インチまでの範囲内で作製される。一実施形態では、切断部２３４は、約１インチで作製され、切断部２３６は、約１と１／４インチで作製され、鐙２４０の爪先開口部２４４を形成する。一実施形態では、踵開口部２４４は、切断部高さ２３７を有する。切断部高さ２３７は、約２インチから約２と１／４インチまでの範囲内にある。より具体的には、２と１／４インチの切断部高さである。爪先開口部２４４の深さは、切断部深さ２３８によって表される。一実施形態では、切断部深さ２３８は、約１インチから約１と１／１６インチまでで作製される。より具体的には、１と１／１６インチの切断部深さである。
【００４２】
図１４に例示される切断部パターンは、足首帯状部２１２の形成に先立って、継目２４２を形成することによって鐙２４０を形成する、未処理切断部を示す。したがって、未処理切断部長は、本明細書において説明される所望の長さ、高さ、および幅を形成するために十分である必要がある。所望の最終製品の測定は、例えば、足首帯状部２１２の厚さに依存するであろう。これらの調節は、当業者によって、容易に理解されるであろう。例えば、各端における未処理切断部後の管材料の長さは、約１０インチから約１０と１／２インチまでであることができる。より具体的には、約１０と１／４インチである。
【００４３】
切断部２２２および切断部２３２の深さおよび角度が、鐙２４０の配置に影響を及ぼすであろうことは、当業者によって理解されるであろう。一実施形態では、切断部２２２および切断部２３２の深さおよび角度は、鐙２４０が、正面部分２３０に向かって配置されるようなものであろう。
【００４４】
切断部２２２および切断部２３２の所望の深さおよび角度が決定され、作製されると、鐙２４０の側面を形成する管材料が、継目２４２を形成するためにともに縫合され、次に、鐙２４０の形成を完成する。一実施形態では、継目２４２は、背面部分２２０から正面部分２３０まで（またはその逆に）線に沿って作製される。
【００４５】
切断部２２２および切断部２３２が作製された後に、各切断部のエッジは、インヒビタ２００の安定性を提供し、摩耗を抑制するように縫合される。
【００４６】
図６に見られるように、長さ２５４は、足首開口部２１０から継目２４２まで画定される所望の長さのインヒビタ２００全体を表す。長さ２５４は、約７インチから約１０インチまでの範囲内にあることができる。一実施形態では、長さ２５４は、約９インチである。しかしながら、長さ２５４は、所望の靴の種類およびサイズに依存するであろう。
【００４７】
幅２５２は、正面部分２３０から背面部分２２０まで画定されるインヒビタ２００の所望の幅全体を表す。幅２５２は、約３と３／４インチから約５インチまでの範囲内にあることができる。一実施形態では、幅２５２は、約４と１／２インチである。しかしながら、幅２５２は、所望の靴の種類およびサイズに依存するであろう。
【００４８】
幅２５０は、正面部分２３０から背面部分２２０まで画定される鐙２４０の所望の幅全体を表す。幅２５０は、約１と１／２インチから約２と１／２インチまでの範囲内にあることができる。しかしながら、幅２５０は、所望の靴の種類およびサイズに依存するであろう。
【００４９】
一実施形態では、鐙２４０は、踵開口部２４６と比較して、爪先開口部２４４において、若干前方に角度を成す設計を備える。爪先開口部２４４における若干前方に角度を成す設計によって、鐙２４０は、使用中に、靴との予想外のよりぴったりとした嵌着を形成する。よりぴったりとした嵌着は、インヒビタ２００が、使用中に、靴を上方に移動させて、靴の上部を暴露させ、それによって、デブリスが靴に進入することを抑制することを補助する。このよりぴったりとした嵌着は、図１２−１３に例示される。
【００５０】
図１１−１３に見られるように、鐙２４０は、靴のアーチの周りにおいて靴を被覆する。これは、切断部２２２と２３２との全体角度によって達成され、鐙２４０の前方配置を可能にする。インヒビタ２００が、靴および足首の上方に引き上げられると、鐙２４０のこの前方配置が、鐙およびインヒビタ２００の正面に伸長を集中させ、踵開口部２４６に及ぼす伸長の影響を制限する。これはまた、踵開口部２４６が、靴の背面を越えて上昇することを抑制することを支援する一方、靴に対する必要な嵌合を維持して、デブリスが靴に進入することを防止する。
【００５１】
ある実施形態では、インヒビタ２００が、図７−９における拡張された形態で示されている（それぞれ、側面図、正面図、および上面から底面の図）。ある他の実施形態では、インヒビタ２００は、図１１−１３において、使用時において示される。
【００５２】
（防止システム）
別の実施形態では、防止システム３００が、図１５に示されている。防止システム３００は、靴下３０２とインヒビタ１００との組み合わせであり、靴下３０２は、インヒビタ１００の内側に取着される。靴下３０２は、好ましくは、足首帯状部１６６の周りに取着される。例えば、靴下３０２は、縁線１６４の周りに取着される。靴下３０２は、競技用または屋外用の目的のために商業的に使用される任意の材料であることができる。そのような材料は、防止システム３００の所望の目的によって決定される。
【００５３】
靴下３０２は、足首帯状部１６６を越えて、任意の所望の長さまで延在することができる。靴下３０２の上部はまた、足首帯状部１６６の上部と同一平面または同一高さであってもよい。しかしながら、靴下３０２は、本明細書において説明されるように、足首帯状部１６６を中心として取着された状態のままであろう。防止システム３００は、装着者が、靴下開口部３０６を通して足を挿入するように設計される。靴下３０２は、足首帯状部１６６の周りに取着されるので、装着者は、インヒビタ１００を靴下３０２まで巻き上げ、足が靴下３０２を通して通過することを可能にし、装着者の爪先が靴下３０２を通して爪先部分３０４の端まで通過することができる。次いで、靴下３０２は、競技用靴または屋外用靴の中に挿入されることができる。靴が配置され、締結されると、装着者は、しっかりとした嵌合のために、インヒビタ１００を靴の上に巻き下げることができる。
【００５４】
図１６は、拡張された、防止システム３００の角度が付いた底面図を示す。切断部１２０および切断部１４０は、足に靴を伴わない図として、靴下とともに拡張図で示される。靴下の爪先部分３０４は、爪先帯状部１１６を越えて延在して示される。
【００５５】
本発明は、詳細および図面を参照して前述されたが、本発明は開示された実施形態に限定されず、請求項および明細書の精神ならびに範囲内に含まれる種々の修正および同等の配列を網羅することが意図されることを理解されたい。本発明における修正および変形は、請求項において規定される本発明の新規側面から逸脱することなく、実行されてもよく、本願は、請求項の範囲によってのみ限定される。
【図１】
2013524894.tif 000004
【図２】
2013524894.tif 000005
【図３】
2013524894.tif 000006
【図４】
2013524894.tif 000007
【図５】
2013524894.tif 000008
【図６】
2013524894.tif 000009
【図７】
2013524894.tif 000010
【図８】
2013524894.tif 000011
【図９】
2013524894.tif 000012
【図１０】
2013524894.tif 000013
【図１１】
2013524894.tif 000014
【図１２】
2013524894.tif 000015
【図１３】
2013524894.tif 000016
【図１４】
2013524894.tif 000017
【図１５】
2013524894.tif 000018
【図１６】
2013524894.tif 000019
【国際調査報告】
2013524894.tif 000020